(57)【要約】【課題】吊り杆の曲げ調節を簡単且つ確実に行うことのできる簡易な構造の折板吊金具用補強プレートを提供する。【解決手段】吊り杆Ｔ１の下端に耳保持部Ｔ２を備えた軒樋吊金具Ｔ３を設け、前記吊り杆Ｔ１の上端を、折板屋根Ｙ等に挿通して固定される折板吊金具Ｔに用いるための補強プレートＡであって、前記補強プレートＡは、前記吊り杆Ｔ１を添設する一枚の板体１と、この添設した前記吊り杆Ｔ１を固定するための固着具２と、より構成してなり、前記板体１は、前記固着具２を挿通する取付孔１１を開設すると共に、上端には、前記折板屋根Ｙ等の裏面に当接する当接片１２を設け、又、前記板体１には、一方に膨出させると共に、上、下端に亘って連通した膨出溝部１３を形成し、更に、前記膨出溝部１３は、前記板体１の上、下に亘って拡幅又は減幅するように形成したことを特徴とする。【選択図】図１
2008280794.tif 000002
【特許請求の範囲】
【請求項１】
吊り杆の下端に耳保持部を備えた軒樋吊金具を設け、前記吊り杆の上端を、折板屋根等に挿通して固定される折板吊金具に用いるための補強プレートであって、
前記補強プレートは、前記吊り杆を添設する一枚の板体と、この添設した前記吊り杆を固定するための固着具と、より構成してなり、
前記板体は、前記固着具を挿通する取付孔を開設すると共に、上端には、前記折板屋根等の裏面に当接する当接片を設け、又、前記板体には、一方に膨出させると共に、上、下端に亘って連通した膨出溝部を形成し、更に、前記膨出溝部は、前記板体の上、下に亘って拡幅又は減幅するように形成したことを特徴とする折板吊金具用補強プレート。
【請求項２】
請求項１において、
膨出溝部は、板体の略中央に形成している折板吊金具用補強プレート。
【請求項３】
請求項１又は２の何れかにおいて、
吊り杆は、ネジ山を備えたボルト軸で形成するとともに、膨出溝部には、内方に向けて突出させた切り起し爪を形成して、この切り起し爪が前記吊り杆のネジ山に係止されるようにしている折板吊金具用補強プレート。
【請求項４】
請求項１〜３の何れかにおいて、
膨出溝部は、吊り杆を抱持するように略筒状に形成すると共に、この膨出溝部の基端には、板体が重合される重合部を設け、この重合部に取付孔を開設し、固着具によって前記重合部を締め付けて吊り杆を固定するようにしている折板吊金具用補強プレート。
【発明の詳細な説明】
【技術分野】
【０００１】
本発明は、吊り杆の下端に耳保持部を備えた軒樋吊金具を設け、前記吊り杆の上端を、折板屋根等に挿通して固定される折板吊金具用補強プレートに関する。
【背景技術】
【０００２】
折板屋根等の建物では、軒樋等を直接取り付けできないため、一般には、前記折板屋根等に軒樋吊金具を固定し、該軒樋吊金具に前記軒樋を取付ける折板吊金具が使用されている。
【０００３】
このような折板吊金具は、吊り杆の下端に軒樋を取り付ける耳保持部を備えた軒樋吊金具を設け、前記吊り杆の上端を、折板屋根等に挿通して固定している。
【０００４】
そのため、前記吊り杆の上端には、軒樋等の全荷重が集中荷重となってかかり、前記吊り杆や折板屋根等に、曲げや破損等を生じる危険があるため、最近では、前記集中荷重を分散させて、曲げや破損等を防止するための補強部材が提案されている。
【０００５】
この補強部材は、吊り杆に貫通され、該吊り杆の上部に直交する方向に固定されてなり、前記補強部材の上面全体が、前記折板屋根等の裏面に当接されるようにしている。
【０００６】
そのため、前記軒樋等にかかる全荷重は、前記補強部材が当接している上面全体が折板屋根等の裏面に分散荷重となって負荷されるため、前記吊り杆や折板屋根等に生じる曲げや破損等を防止できる（例えば、特許文献１参照。）。
【特許文献１】特開平８−２５３９８５号
【発明の開示】
【発明が解決しようとする課題】
【０００７】
このように、従来の折板吊金具用補強部材は、吊り杆や折板屋根等に生じる曲げや破損等を防止できる点で効果があるが、構造が複雑であるうえ、施工し難いという問題があった。
【０００８】
具体的には、前記吊り杆の上端は、折板屋根等に挿通して固定されるが、前記補強部材は、この作業前に予め前記吊り杆に貫通して取り付ける必要がある。
【０００９】
一方、折板屋根等には、屋根勾配があると共に、該屋根勾配は、設置する建物等によって様々であるが、前記軒樋吊金具自体は、これを水平に設置しなければならない。
【００１０】
そのため、施工現場においては、前記軒樋吊金具自体が水平に設置されるように、前記屋根勾配に応じて前記吊り杆を若干曲げて加工したうえで、取付けることが多い。
【００１１】
しかしながら、前記補強金具を備えた折板吊金具では、前記吊り杆の曲げ調節の度に一々前記補強部材を取外して調節した後、再度吊り杆に貫通しなければならない手間が生じ、施工し難いという問題がある。
【００１２】
そこで、本発明者等は、吊り杆の曲げ調節を行った後に装着可能な着脱構造の折板吊金具用補強部材を新規に創作しただけでなく、更に進んで、折板吊金具の設置後であっても、前記吊り杆の曲げ調節を簡単且つ確実に行うことのできる簡易な構造の折板吊金具用補強プレートを提供するものである。
【課題を解決するための手段】
【００１３】
上記目的を達成するため、
請求項１に係る折板吊金具用補強プレートは、吊り杆の下端に耳保持部を備えた軒樋吊金具を設け、前記吊り杆の上端を、折板屋根等に挿通して固定される折板吊金具に用いるための補強プレートであって、前記補強プレートは、前記吊り杆を添設する一枚の板体と、この添設した前記吊り杆を固定するための固着具と、より構成してなり、前記板体は、前記固着具を挿通する取付孔を開設すると共に、上端には、前記折板屋根等の裏面に当接する当接片を設け、又、前記板体には、一方に膨出させると共に、上、下端に亘って連通した膨出溝部を形成し、更に、前記膨出溝部は、前記板体の上、下に亘って拡幅又は減幅するように形成したことを特徴とする。
【００１４】
請求項２に係る折板吊金具用補強プレートは、請求項１において、膨出溝部が、板体の略中央に形成している。
【００１５】
請求項３に係る折板吊金具用補強プレートは、請求項１又は２の何れかにおいて、吊り杆が、ネジ山を備えたボルト軸で形成するとともに、膨出溝部には、内方に向けて突出させた切り起し爪を形成して、この切り起し爪が前記吊り杆のネジ山に係止されるようにしている。
【００１６】
請求項４に係る折板吊金具用補強プレートは、請求項１〜３の何れかにおいて、膨出溝部が、吊り杆を抱持するように略筒状に形成すると共に、この膨出溝部の基端には、板体が重合される重合部を設け、この重合部に取付孔を開設し、固着具によって前記重合部を締め付けて吊り杆を固定するようにしている。
【発明の効果】
【００１７】
本発明によれば、次のような効果がある。
請求項１に係る折板吊金具用補強プレートによれば、吊り杆を添設する一枚の板体と、前記吊り杆を固定するための固着具と、より構成してなり、前記板体の上端に折板屋根等の裏面に当接する当接片を設けた簡易な構造にしている。
【００１８】
そのため、吊り杆の曲げ調節を行った後に、前記一枚の板体を前記吊り杆に着脱自在にできるため、折板吊金具の施工を簡単且つ確実に行うことができる。
【００１９】
又、前記板体は、一方に膨出させると共に、上、下端に亘って連通した膨出溝部を形成し、更に、前記膨出溝部は、前記板体の上、下に亘って拡幅又は減幅するように形成してなる。
【００２０】
そのため、折板吊金具の設置後においても、前記膨出溝部の拡幅又は減幅の許容範囲内で吊り杆の曲げ調節を行うことができ、前記吊り杆の曲げ調節を簡単且つ確実に行うことができる。
【００２１】
請求項２に係る折板吊金具用補強プレートによれば、膨出溝部は、板体の略中央に形成しているので、板体の略中央で吊り杆の曲げ調節を行うことができ、前記吊り杆が板体から外れる恐れがなく、曲げ調節をより確実に行うことができる。
【００２２】
請求項３に係る折板吊金具用補強プレートによれば、吊り杆は、ネジ山を備えたボルト軸で形成するとともに、膨出部には、内方に向けて突出させた切り起し爪を形成して、この切り起し爪が前記吊り杆のネジ山に係止されるようにしている。
【００２３】
そのため、前記一枚の板体を前記吊り杆に装着した際、この板体の切り起し爪が前記吊り杆のネジ山に係止されるため、前記一枚の板体がズレることなく確実に装着されて折板吊金具の施工をより確実に行うことができる。
【００２４】
請求項４に係る折板吊金具用補強プレートによれば、膨出溝部は、吊り杆を抱持するように略筒状に形成すると共に、この膨出溝部の基端には、板体が重合される重合部を設け、この重合部に取付孔を開設し、固着具によって前記重合部を締め付けて吊り杆を固定するようにしているため、取付けた吊り杆を外被させずに取付けることができ、意匠的効果を高めることができる。
【発明を実施するための最良の形態】
【００２５】
以下、本発明に係る折板吊金具用補強プレートＡを図面とともに説明する。
【実施例１】
【００２６】
図１は、本発明に係る折板吊金具用補強プレートＡの一実施例を概略した分解斜視図であり、図２（ａ）、（ｂ）は、図１で示した折板吊金具用補強プレートＡの正面図及び要部側面図である。
【００２７】
この折板吊金具用補強プレートＡは、吊り杆Ｔ１の下端に耳保持部Ｔ２備えた軒樋吊金具Ｔ３を設け、吊り杆Ｔ１の上端を、折板屋根Ｙに挿通して固定される折板吊金具Ｔに用いるものであって、吊り杆Ｔ１を添設する一枚の板体１と、この添設した吊り杆Ｔ１を固定するための固着具２と、より構成してなる。
【００２８】
板体１は、固着具２を挿通する取付孔１１を適所に開設すると共に、上端には、折板屋根Ｙの裏面に当接する当接片１２を設けている。
【００２９】
ここでは、板体１上端の両側に、当接片１２を何れも前方に向けて突設したものを例示しているが、例えば、当接片１２を前、後の異なる方向に向けて各々形成したり、或いは、板体１上端の一側にのみ形成することも可能である。
【００３０】
又、板体１の両側端には、当接片１２の両側片を延設させて補強リブ１２ａを形成しており、当接片１２の強度を高めている。
【００３１】
なお、板体１の形状は、上方から下方に向けて略狭くした略逆台形状に形成して、板体１を小型化しているが、これに限定されるものではなく、折板屋根Ｙの断面波形状等に応じて適宜選択できる。
【００３２】
又、板体１の略中央には、前方に膨出させると共に、上、下端に亘って連通した膨出溝部１３を形成している。
【００３３】
この膨出溝部１３は、板体１の上、下端の何れか一方から他方に向けて徐々に拡幅又は減幅するように形成しており、ここでは、板体１の下端から上端に向けて徐々に拡幅（板体１の上端から下端に向けて徐々に減幅）するように形成した膨出溝部１３を例示している。
【００３４】
この膨出溝部１３の拡幅又は減幅は、吊り杆Ｔ１の曲げ調節を行った後に、該吊り杆１を膨出溝部１３内に収容できる程度（吊り杆Ｔ１の曲げを許容できる程度）に形成されていれば良い。
【００３５】
また、膨出溝部１３の形状は、本実施例のものに限定されず、例えば、板体１の略中央に、前方に膨出させて略半円状に形成すると共に、板体１の上、下に亘って拡幅又は減幅したものでも構わない。
【００３６】
本実施例の吊り杆Ｔ１は、ネジ山Ｔ１１を備えたボルト軸で形成され、板体１の膨出溝部１３には、内方に向けて突出させた切り起し爪１５を形成し、この切り起し爪１５が吊り杆Ｔ１のネジ山Ｔ１１に係止されるようにして、板体１と吊り杆Ｔ１の係止を確実に行うようにしている。
【００３７】
また、切り起し爪１５は、膨出溝部１３に複数形成して、吊り杆Ｔ１との係止をより確実に行うことも可能であり、更に、切り起し爪１５の形状も、図例のような切り起した板状のものに限定されず、例えば、板体１の内方に向けて膨出させたリブであっても良く、ネジ山Ｔ１１に係止できるように形成されていれば良い。
【００３８】
このような切り起し爪１５を形成しておけば、この切り起し爪１５が吊り杆Ｔ１のネジ山Ｔ１１間の谷に嵌り込み、確実に係止するため、一枚の板体１がズレることなく折板吊金具Ｔの施工をより確実に行うことができる。
【００３９】
固着具２は、一枚の板体１と、吊り杆Ｔ１を確実に固着できるものであれば良く、ここでは、板体１の下端近傍の両側に開設した取付孔１１にボルト２１を正面側から挿通し、このボルト２１を貫通する穴部２２を設けた固定プレート２３を背面側に配置し、この固定プレート２３の穴部２２にボルト２１を貫通させて該固定プレート２３を吊り杆Ｔ１に接合させた後、ボルト２１の先端にナット２２を螺着して、一枚の板体１に吊り杆Ｔ１を固着する構造のものを例示している。
【００４０】
以上のように構成した本発明に係る折板吊金具用補強プレートＡは、以下の要領で使用する。
【００４１】
先ず、軒樋吊金具Ｔ３を備えた吊り杆Ｔ１の上端を、折板屋根Ｙに挿通し、この吊り杆Ｔ１の上端部にゴムパッキン等を備えたナット等の締着具からなる固定部材Ｔ４を螺合して、折板屋根Ｙに折板吊金具Ｔを取付ける。
【００４２】
そして、折板屋根Ｙの屋根勾配に応じて、軒樋（不図示）が水平に設置されるように、吊り杆Ｔ１を周知手段によって若干曲げ加工を行い調節する。
【００４３】
次に、一枚の板体１の膨出溝部１３に吊り杆Ｔ１を収容し、この吊り杆Ｔ１を挟み込むようにして固定プレート２３を背面側の下端近傍に配置し、板体１の正面側からボルト２１を取付孔１１及び穴部２２に貫通させた後、ボルト２１の先端にナット２２を仮締めして、吊り杆Ｔ１に一枚の板体１を仮止めする。
【００４４】
本実施例の固定プレート２３は、補強の為に両端をビート加工している。そのビート加工先端は、ボルト押え面より突起しており、ボルト２１の先端にナット２２を螺着すると、固定プレート２３の両先端が、吊り杆Ｔ１のネジ山Ｔ１１間の谷に嵌り込み、確実に係止する。
【００４５】
最後に、仮止めした板体１を上方に押し上げて、上端に設けた当接片１２を、折板屋根Ｙの裏面に当接させたうえで、ナット２２を確実に締付け、施工を完了する。
【００４６】
このように、本発明の折板吊金具用補強プレートＡによれば、吊り杆Ｔ１の曲げ調節を行った後に、一枚の板体１を吊り杆Ｔ１に装着できるため、折板吊金具Ｔの施工を簡単且つ確実に行うことができる。
【００４７】
又、板体１の略中央には、下端から上端に向けて徐々に拡幅された膨出溝部１３を形成しているため、折板吊金具Ｔの施工を完了した設置後においても、膨出溝部１３の許容範囲内で吊り杆Ｔ１の曲げ調節を行うことができるのである。
【００４８】
なお、上記施工要領は、一例に過ぎず、これに限定されるわけではない。
【実施例２】
【００４９】
図３は、本発明に係る折板吊金具用補強プレートＡの他の実施例を概略した分解斜視図であり、図４（ａ）〜（ｃ）は、図３で示した折板吊金具用補強プレートＡの正面図、平面図、側面図である。
【００５０】
ここで、図１、２と共通する部位には、同一の符号を付して重複する説明を省略し、以下では、各実施例の特徴についてのみ説明する。
【００５１】
本実施例では、膨出溝部１３が吊り杆Ｔ１を抱持するように略筒状に形成すると共に、この膨出溝部１３の基端には、板体１が重合される重合部１３ａを設け、この重合部１３ａに取付孔１１を開設し、固着具２によって重合部１３ａを締め付けて吊り杆Ｔ１を固定する構造にしている。
【００５２】
すなわち、本実施例の膨出溝部１３は、図１、２で示したような板体１を膨出させた構造ではなく、板体１の略中央を筒状に加工して膨出溝部１３を形成したものである。
【００５３】
この膨出溝部１３でも、図１、２と同様、上、下端の何れか一方から他方に向けて徐々に拡幅又は減幅するように形成しており、ここでは、板体１の下端から上端に向けて徐々に拡幅するように形成した膨出溝部１３を例示している。
【００５４】
なお、膨出溝部１３の拡幅又は減幅は、吊り杆Ｔ１の曲げ調節を行った後に、該吊り杆１を膨出溝部１３内に収容できる程度（吊り杆Ｔ１の曲げを許容できる程度）に形成されていれば良い。
【００５５】
このように形成した膨出溝部１３の基端には、近接した二片の重合部１３ａが形成され、これら重合部１３ａの適所に、取付孔１１を各々開設している。
【００５６】
なお、本実施例の固着具２は、ボルト２１及びナット２２で構成してなり、固定プレート２３は不要である。
【００５７】
以上のように構成した本発明に係る折板吊金具用補強プレートＡは、以下の要領で使用する。
【００５８】
先ず、軒樋吊金具Ｔ３を備えた吊り杆Ｔ１の上端を、折板屋根Ｙに挿通し、この吊り杆Ｔ１の上端部にゴムパッキン等を備えたナット等の締着具からなる固定部材Ｔ４を螺合して、折板屋根Ｙに折板吊金具Ｔを取付ける。
【００５９】
そして、折板屋根Ｙの屋根勾配に応じて、軒樋（不図示）が水平に設置されるように、吊り杆Ｔ１を周知手段によって若干曲げ加工を行い調節する。
【００６０】
次に、一枚の板体１を、図４（ｂ）で示すように、両端を掴んで図中矢印の方向に押し開くと、膨出溝部１３の重合部１３ａが離間して開放され、この開放部分から吊り杆Ｔ１を収容する。
【００６１】
そして、吊り杆Ｔ１を収容した板体１を上方に押し上げて、上端に設けた当接片１２を、折板屋根Ｙの裏面に当接させたうえで、取付孔１１の一方からボルト２１を挿通してナット２２で締付ければ、近接された重合部１３ａが密着して重合され、切り起し爪１５が吊り杆Ｔ１のネジ山Ｔ１１に係止すると共に、膨出溝部１３の下端部で吊り杆Ｔ１を抱持して吊り杆Ｔ１を確実に固定できる。
【００６２】
このように、本発明の折板吊金具用補強プレートＡによれば、固着具２を更に簡易な構造にすることができるうえ、取付けた吊り杆Ｔ１が膨出溝部１３に抱持されるため、吊り杆Ｔ１を外被させずに取付けでき、意匠的効果を高めることができる。
【実施例３】
【００６３】
図５は、本発明に係る折板吊金具用補強プレートＡの更に他の実施例を概略した分解斜視図であり、図６（ａ）〜（ｃ）は、図５で示した折板吊金具用補強プレートＡの正面図、平面図、要部側面図である。
【００６４】
ここで、図１〜４と共通する部位には、同一の符号を付して重複する説明を省略し、以下では、各実施例の特徴についてのみ説明する。
【００６５】
本実施例では、図３、４と同様、膨出溝部１３が吊り杆Ｔ１を抱持するように略筒状に形成すると共に、この膨出溝部１３の基端には、板体１が重合される重合部１３ａを設け、この重合部１３ａに取付孔１１を開設し、固着具２によって重合部１３ａを締め付けて吊り杆Ｔ１を固定する構造にしている。
【００６６】
只、本実施例の膨出溝部１３は、図３、４の構造と異なり、１枚の板体１を２つ折にすることで膨出溝部１３を略筒状に形成している点で相違するものである。
【００６７】
このように構成した本発明に係る折板吊金具用補強プレートＡは、以下の要領で使用する。
【００６８】
先ず、軒樋吊金具Ｔ３を備えた吊り杆Ｔ１の上端を、折板屋根Ｙに挿通し、この吊り杆Ｔ１の上端部にゴムパッキン等を備えたナット等の締着具からなる固定部材Ｔ４を螺合して、折板屋根Ｙに折板吊金具Ｔを取付ける。
【００６９】
そして、折板屋根Ｙの屋根勾配に応じて、軒樋（不図示）が水平に設置されるように、吊り杆Ｔ１を周知手段によって若干曲げ加工を行い調節する。
【００７０】
次に、一枚の板体１を、図６（ｂ）で示すように、両端を掴んで図中矢印の方向に押し開くと、膨出溝部１３の重合部１３ａが離間して開放され、この開放部分から吊り杆Ｔ１を収容する。
【００７１】
そして、吊り杆Ｔ１を収容した板体１を上方に押し上げて、上端に設けた当接片１２を、折板屋根Ｙの裏面に当接させたうえで、取付孔１１の一方からボルト２１を挿通してナット２２で締付ければ、近接された重合部１３ａが密着して重合され、切り起し爪１５が吊り杆Ｔ１のネジ山Ｔ１１に係止すると共に、膨出溝部１３の下端部で吊り杆Ｔ１を抱持して吊り杆Ｔ１を確実に固定できる。
【００７２】
このように、本発明の折板吊金具用補強プレートＡによれば、固着具２を更に簡易な構造にすることができるうえ、取付けた吊り杆Ｔ１が膨出溝部１３に抱持されるため、吊り杆Ｔ１を外被させずに取付けでき、意匠的効果を高めることができる。
【図面の簡単な説明】
【００７３】
【図１】本発明に係る折板吊金具用補強プレートＡの一実施例を概略した分解斜視図である。
【図２】（ａ）、（ｂ）は、図１で示した折板吊金具用補強プレートＡの正面図及び要部側面図である。
【図３】本発明に係る折板吊金具用補強プレートＡの他の実施例を概略した分解斜視図である。
【図４】（ａ）〜（ｃ）は、図３で示した折板吊金具用補強プレートＡの正面図、平面図、要部側面図である。
【図５】本発明に係る折板吊金具用補強プレートＡの更に他の実施例を概略した分解斜視図である。
【図６】（ａ）〜（ｃ）は、図５で示した折板吊金具用補強プレートＡの正面図、平面図、側面図である。
【符号の説明】
【００７４】
Ａ      折板吊金具用補強プレート
Ｙ      折板屋根
Ｔ      折板吊金具
Ｔ１    吊り杆
Ｔ１１  ネジ山
Ｔ２    耳保持部
Ｔ３    軒樋吊金具
１      板体
１１    取付孔
２      固着具
１２    当接片
１３    膨出溝部
１３ａ  重合部
１４    切り起し爪
【図１】
2008280794.tif 000003
【図２】
2008280794.tif 000004
【図３】
2008280794.tif 000005
【図４】
2008280794.tif 000006
【図５】
2008280794.tif 000007
【図６】
2008280794.tif 000008